(57)【要約】  清浄化組成物濃縮物を収容する容器、および清浄化組成物濃縮物を含むパッケージされた清浄化組成物濃縮物。清浄化組成物濃縮物は、その重量を基準にして少なくとも約１重量％の固形分を有する。清浄化組成物濃縮物は、界面活性剤成分、分散剤成分、およびシーティング剤又は保湿剤の少なくとも１つを含む。用途組成物を形成する方法も提供される。
2009535448.tif 000002
【特許請求の範囲】
【請求項１】
（ａ）清浄化組成物濃縮物を収容する容器、および
（ｂ）清浄化組成物濃縮物を基準にして少なくとも約１重量％の活性体含量を有する洗浄化組成物濃縮物を含むパッケージされた清浄化組成物濃縮物であって、
該清浄化組成物濃縮物が、
（ｉ）界面活性剤成分、
（ii）分散剤成分、および
（iii ）シーティング剤又は保湿剤の少なくとも１つ
を含むパッケージされた清浄化組成物濃縮物。
【請求項２】
前記容器が、ポリエチレン、ポリプロピレン、ポリブチレン、ポリエステル、又はポリアミドの少なくとも１つから形成された膜を含む請求項１に記載のパッケージされた清浄化組成物濃縮物。
【請求項３】
前記容器が、水溶性又は水分散性膜を含む請求項１に記載のパッケージされた清浄化組成物濃縮物。
【請求項４】
前記水溶性ポリマー又は水分散性ポリマーが、ポリビニルアルコール、セルロースエーテル、ポリエチレンオキシド、でんぷん、ポリビニルピロリドン、ポリアクリルアミド、ポリビニルメチルエーテル−無水マレイン酸、ポリ無水マレイン酸、スチレン無水マレイン酸、ヒドロキシエチルセルロース、メチルセルロース、ポリエチレングリコール、カルボキシメチルセルロース、ポリアクリル酸塩、アルギン酸塩、アクリルアミドコポリマー、グアーガム、カゼイン、エチレン−無水マレイン酸樹脂系列、ポリエチレンイミン、エチルヒドロエチルセルロース、エチルメチルセルロース又はヒドロキシエチルメチルセルロースの少なくとも１つを含む請求項３に記載のパッケージされた清浄化組成物濃縮物。
【請求項５】
前記清浄化組成物濃縮物が、基材上で提供される請求項１に記載のパッケージされた清浄化組成物濃縮物。
【請求項６】
前記基材が、そこを通って延びる、瓶浸漬管を受け取るための開口を含む請求項５に記載のパッケージされた清浄化組成物濃縮物。
【請求項７】
前記パッケージされた清浄化組成物濃縮物が、袋の形態で提供される請求項１に記載のパッケージされた清浄化組成物濃縮物。
【請求項８】
前記パッケージされた清浄化組成物濃縮物が、カプセルの形態で提供される請求項１に記載のパッケージされた清浄化組成物濃縮物。
【請求項９】
前記パッケージされた清浄化組成物濃縮物が、ボトルの首に取り付けられるように構成された複数の貯蔵カートリッジの形態で提供される請求項１に記載のパッケージされた清浄化組成物濃縮物。
【請求項１０】
前記界面活性剤成分が、アルキルアリールスルホン酸塩、２級アルカンスルホン酸塩、アルキルメチルエステルスルホン酸塩、α−オレフィンスルホン酸塩、アルキルエーテル硫酸塩、アルキル硫酸塩、アルコール硫酸塩、およびそれらの混合物の少なくとも１つを含むアニオン界面活性剤を含む請求項１に記載のパッケージされた清浄化組成物濃縮物。
【請求項１１】
前記清浄化組成物濃縮物が、約０．１重量％〜約３０％重量のアニオン界面活性剤成分を含む請求項１０に記載のパッケージされた清浄化組成物濃縮物。
【請求項１２】
前記界面活性剤成分が、アルコールアルコキシレート、アミド、ポリアルキレンオキシド、アルキルポリグルコシド、又はそれらの混合物の少なくとも１つを含む非イオン性界面活性剤を含む請求項１に記載のパッケージされた清浄化組成物濃縮物。
【請求項１３】
前記清浄化組成物が、約０．１重量％〜約１５重量％の非イオン性界面活性剤成分を含む請求項１２に記載のパッケージされた清浄化組成物濃縮物。
【請求項１４】
前記分散剤成分が、ポリマーおよびオリゴマーの少なくとも１つを含んでいて、該ポリマーおよびオリゴマーがペンダントカルボン酸基、ペンダントカルボン酸塩基、又はそれらの混合物を含有している請求項１に記載のパッケージされた清浄化組成物濃縮物。
【請求項１５】
前記分散剤成分が、ポリ（アクリル酸）、ポリ（アクリル酸／マレイン酸）コポリマー、ポリ（マレイン酸／オレフィン）コポリマーの少なくとも１つを含む請求項１に記載のパッケージされた清浄化組成物濃縮物。
【請求項１６】
前記清浄化組成物濃縮物が、約０．０１重量％〜約１０重量％の分散剤を含む請求項１に記載のパッケージされた清浄化組成物濃縮物。
【請求項１７】
前記清浄化組成物が、ベタイン、イミダゾリン、又はプロピオン酸塩の少なくとも１つを含む両性界面活性剤をさらに含む請求項１に記載のパッケージされた清浄化組成物濃縮物。
【請求項１８】
前記清浄化組成物濃縮物が、約０．０１重量％〜約１５重量％の両性界面活性剤を含む請求項１７に記載のパッケージされた清浄化組成物濃縮物。
【請求項１９】
前記組成物がシーティング剤を含み、そして該シーティング剤が非イオン性ブロックコポリマー、アルコールアルコキシレート、アルキルポリグリコシド、両性イオン、およびそれらの混合物の少なくとも１つを含む請求項１に記載のパッケージされた清浄化組成物濃縮物。
【請求項２０】
前記組成物が保湿剤を含み、そして該保湿剤がグリセリン、アルキレングリコール、ソルビトール、アルキルポリグリコシド、ポリベタインポリシロキサン、およびそれらの混合物の少なくとも１つを含む請求項１に記載のパッケージされた清浄化組成物濃縮物。
【請求項２１】
前記清浄化組成物が、約０．００１重量％〜約１０重量％のシーティング剤又は保湿剤を含む請求項１に記載のパッケージされた清浄化組成物濃縮物。
【請求項２２】
有機溶媒をさらに含む請求項１に記載のパッケージされた清浄化組成物濃縮物。
【請求項２３】
前記溶媒が、グリコールエーテルおよびグリコールエーテルの誘導体の少なくとも１つを含む請求項２２に記載のパッケージされた清浄化組成物濃縮物。
【請求項２４】
前記清浄化組成物が、約０．１重量％〜約９９重量％の有機溶媒を含む請求項１９に記載のパッケージされた清浄化組成物濃縮物。
【請求項２５】
前記濃縮物が、約０．１重量％〜約９９重量％の水を含む請求項１に記載のパッケージされた清浄化組成物濃縮物。
【請求項２６】
前記濃縮物が、約３０重量％〜約９５重量％の水を含む請求項１に記載のパッケージされた清浄化組成物濃縮物。
【請求項２７】
前記清浄化組成物濃縮物が、該清浄化組成物の重量を基準にして少なくとも約１０重量％の活性体を含む請求項１に記載のパッケージされた清浄化組成物濃縮物。
【請求項２８】
パッケージされた清浄化組成物濃縮物を希釈水と合することを含む清浄化組成物を形成する方法であって、
該パッケージされた清浄化組成物濃縮物が、
（ａ）清浄化組成物濃縮物を収容する容器、および
（ｂ）清浄化組成物濃縮物の重量を基準にして少なくとも約１重量％の活性体含量を有する洗浄化組成物濃縮物を含み、
該清浄化組成物濃縮物が、
（ｉ）界面活性剤成分、
（ii）分散剤成分、および
（iii ）シーティング剤又は保湿剤の少なくとも１つ
を含む、清浄化組成物を形成する方法。
【請求項２９】
前記容器が、水溶性又は水分散性膜を含む請求項２８に記載の清浄化組成物濃縮物。
【請求項３０】
前記水溶性ポリマー又は水分散性ポリマーが、ポリビニルアルコール、セルロースエーテル、ポリエチレンオキシド、でんぷん、ポリビニルピロリドン、ポリアクリルアミド、ポリビニルメチルエーテル−無水マレイン酸、ポリ無水マレイン酸、スチレン無水マレイン酸、ヒドロキシエチルセルロース、メチルセルロース、ポリエチレングリコール、カルボキシメチルセルロース、ポリアクリル酸塩、アルギン酸塩、アクリルアミドコポリマー、グアーガム、カゼイン、エチレン−無水マレイン酸樹脂系列、ポリエチレンイミン、エチルヒドロエチルセルロース、エチルメチルセルロース又はヒドロキシエチルメチルセルロースの少なくとも１つを含む請求項２９に記載のパッケージされた清浄化組成物濃縮物。
【請求項３１】
前記パッケージされた清浄化組成物濃縮物が、袋の形態で提供される請求項２８に記載のパッケージされた清浄化組成物濃縮物。
【請求項３２】
前記パッケージされた清浄化組成物濃縮物が、カプセルの形態で提供される請求項２８に記載のパッケージされた清浄化組成物濃縮物。
【請求項３３】
前記界面活性剤成分が、アルキルアリールスルホン酸塩、２級アルカンスルホン酸塩、アルキルメチルエステルスルホン酸塩、α−オレフィンスルホン酸塩、アルキルエーテル硫酸塩、アルキル硫酸塩、アルコール硫酸塩、およびそれらの混合物の少なくとも１つを含むアニオン界面活性剤を含む請求項２８に記載のパッケージされた清浄化組成物濃縮物。
【請求項３４】
前記清浄化組成物濃縮物が、約０．１重量％〜約３０％重量のアニオン界面活性剤成分を含む請求項３３に記載のパッケージされた清浄化組成物濃縮物。
【請求項３５】
前記界面活性剤成分が、アルコールアルコキシレート、アミド、ポリアルキレンオキシド、アルキルポリグルコシド、又はそれらの混合物の少なくとも１つを含む非イオン性界面活性剤を含む請求項２８に記載のパッケージされた清浄化組成物濃縮物。
【請求項３６】
前記清浄化組成物濃縮物が、約０．１重量％〜約１５重量％の非イオン性界面活性剤成分を含む請求項３５に記載のパッケージされた清浄化組成物濃縮物。
【請求項３７】
前記分散剤成分が、ポリマーおよびオリゴマーの少なくとも１つを含んでいて、該ポリマーおよびオリゴマーがペンダントカルボン酸基、ペンダントカルボン酸塩基、又はそれらの混合物を含有している請求項２８に記載のパッケージされた清浄化組成物濃縮物。
【請求項３８】
前記分散剤成分が、ポリ（アクリル酸）、ポリ（アクリル酸／マレイン酸）コポリマー、ポリ（マレイン酸／オレフィン）コポリマーの少なくとも１つを含む請求項２８に記載のパッケージされた清浄化組成物濃縮物。
【請求項３９】
前記清浄化組成物濃縮物が、約０．０１重量％〜約１０重量％の分散剤を含む請求項２８に記載のパッケージされた清浄化組成物濃縮物。
【請求項４０】
前記清浄化組成物が、ベタイン、イミダゾリン、又はプロピオン酸塩の少なくとも１つを含む両性界面活性剤をさらに含む請求項２８に記載のパッケージされた清浄化組成物濃縮物。
【請求項４１】
前記清浄化組成物濃縮物が、約０．０１重量％〜約１５重量％の両性界面活性剤を含む請求項４０に記載のパッケージされた清浄化組成物濃縮物。
【請求項４２】
前記組成物が、シーティング剤を含み、そして該シーティング剤が非イオン性ブロックコポリマー、アルコールアルコキシレート、アルキルポリグリコシド、両性イオン、およびそれらの混合物の少なくとも１つを含む請求項２８に記載のパッケージされた清浄化組成物濃縮物。
【請求項４３】
前記組成物が、保湿剤を含み、そして該保湿剤がグリセリン、アルキレングリコール、ソルビトール、アルキルポリグリコシド、ポリベタインポリシロキサン、およびそれらの混合物の少なくとも１つを含む請求項２８に記載のパッケージされた清浄化組成物濃縮物。
【請求項４４】
前記清浄化組成物が、約０．００１重量％〜約１０重量％のシーティング剤又は保湿剤を含む請求項２８に記載のパッケージされた清浄化組成物濃縮物。
【請求項４５】
有機溶媒をさらに含む請求項２８に記載のパッケージされた清浄化組成物濃縮物。
【請求項４６】
前記有機溶媒が、グリコールエーテルおよびグリコールエーテルの誘導体の少なくとも１つを含む請求項４５に記載のパッケージされた清浄化組成物濃縮物。
【請求項４７】
前記濃縮物が、約３０重量％〜約９５重量％の水を含む請求項２８に記載のパッケージされた清浄化組成物濃縮物。
【請求項４８】
前記清浄化組成物濃縮物が、該清浄化組成物の重量を基準にして少なくとも約１０重量％の活性体を含む請求項２８に記載のパッケージされた清浄化組成物濃縮物。
【請求項４９】
前記希釈水が、少なくとも５グレイン硬度を有する水を含む請求項２８に記載の方法。
【請求項５０】
清浄化組成物濃縮物を各々含む複数の貯留体を備えた複数の貯蔵カートリッジをスプレー瓶の首に配置することと、
清浄化組成物濃縮物がスプレー瓶内の希釈水と合するように貯留体の１つに穴を開けることとを含む清浄化組成物を形成する方法であって、
清浄化組成物濃縮物が、洗浄化組成物濃縮物の重量を基準にして少なくとも約１重量％の固形分濃度を有し、そして界面活性剤成分、分散剤成分、及びシーティング剤又は保湿剤の少なくとも１つを含んでなる、
スプレー瓶内において清浄化組成物を形成する方法。
【請求項５１】
清浄化組成物濃縮物を含有する基材をスプレー瓶内の希釈水と合することを含む清浄化組成物を形成する方法であって、
該清浄化組成物濃縮物が、清浄化組成物濃縮物の重量を基準にして少なくとも約１重量％の固形分濃度を有し、そして界面活性剤成分、分散剤成分、及びシーティング剤又は保湿剤の少なくとも１つを含んでなる、スプレー瓶内において清浄化組成物を形成する方法。
【請求項５２】
前記基材が、瓶浸漬管を受け取るための開口部を含む請求項５１に記載の方法。
【請求項５３】
前記基材が、不織布基材である請求項５２に記載の方法。
【請求項５４】
前記基材および清浄化組成物濃縮物が、ポリエチレン、ポリプロピレン、ポリブチレン、ポリエステル、又はポリアミドの少なくとも１つから形成された膜を含む容器にパッケージされる請求項５１に記載の方法。
【請求項５５】
清浄化組成物を提供するために約１：１〜約１：１０００の重量比（濃縮物：希釈水）で清浄化組成物濃縮物を希釈水と合することを含む清浄化組成物を形成する方法であって、
該清浄化組成物濃縮物が、少なくとも約１重量％の量の活性体を含み、そして約０．１重量％〜約３０重量％のアニオン界面活性剤成分、約０．０１重量％〜約１０重量％の分散剤、および約０．０１重量％〜約１０重量％のシーティング剤又は保湿剤を含み、そして該希釈水が少なくとも約１グレイン硬度を有する水を含む、清浄化組成物を形成する方法。
【請求項５６】
前記方法が、バッチ工程を含む請求項５５に記載の方法。
【請求項５７】
前記方法が、前記清浄化組成物濃縮物が希釈水を含む水流中にくみ上げられるか又は吸引される連続した操作を含む請求項５５に記載の方法。
【請求項５８】
前記清浄化組成物濃縮物が、約０．１重量％〜約１０重量％のヒドロトロープを含む請求項５７に記載の方法。
【発明の詳細な説明】
【技術分野】
【０００１】
本発明は、パッケージされた清浄化組成物濃縮物、および清浄化組成物を形成する方法に関する。本発明の清浄化組成物は、基材上の濃縮物の形態で、又は基材のない濃縮物の形態で提供され得る。本発明の清浄化組成物濃縮物は、基材とともに又は基材なしで容器内に提供され得る。本発明の清浄化組成物濃縮物は硬い表面、例えばガラス、タイル、調理台等の清浄化に用いるための用途組成物を提供するために水と混合され得る。本発明の清浄化組成物は硬水と認められ得る水を許容し得る。
【背景技術】
【０００２】
ガラス洗浄剤はすぐに使用できる形態で入手できることが多い。消費者はガラス洗浄剤、例えばウィンドウ・クリーナーを購入し、そしてそのガラス洗浄剤をガラスの表面に直接利用し得る。ガラス洗浄剤がすぐ利用できる形態で提供される理由はすぐ利用できる状態にあるガラス洗浄剤内に存在する水の硬度を制御するためである。水の硬度はアニオン界面活性剤の沈殿を引き起こす傾向がある。ガラス洗浄剤はかなり多くの割合の水を含むので、ガラス洗浄剤に存在するアニオン界面活性剤の沈殿を避けるために、ガラス洗浄剤に配合するために脱イオンされた水が用いられることが多い。
ガラス洗浄剤組成物の典型的な開示としては、メイル等の米国特許第６４２０３２６号、マスターズ等の米国特許第５５３４１９８号、カミングスの米国特許第５７５０４８２号、スボボダの米国特許第５７９８３２４号、およびニューミラーの米国特許第５８４９６８１号が挙げられる。
【発明の開示】
【課題を解決するための手段】
【０００３】
本発明によりパッケージされた清浄化組成物濃縮物が提供される。本発明のパッケージ清浄化組成物濃縮物は清浄化組成物濃縮物を収容する容器および清浄化組成物濃縮物を含む。本発明の清浄化組成物濃縮物は少なくとも約１重量％の固形分を有する。本発明の清浄化組成物濃縮物は界面活性剤成分、分散剤成分、およびシーティング剤又は保湿剤の少なくとも１つを含む。
【０００４】
本発明により清浄化組成物を形成する方法が提供される。本発明の方法は大まかに用途組成物を形成するために清浄化組成物濃縮物と希釈水とを混合することを含む。希釈水が硬水であれば、清浄化組成物濃縮物は水の硬度に対処するために提供され得る。１つの方法において、清浄化組成物濃縮物を収容する容器が水溶性膜又は水分散性膜として提供され得て、パッケージされた清浄化組成物が提供され得る。
【０００５】
もう1つの態様において、スプレー瓶の首に複数の貯蔵カートリッジが設置されてなり得て、該複数の貯蔵カートリッジが清浄化組成物濃縮物の各々を収容する複数の貯留体を含み、そして方法は清浄化組成物濃縮物がスプレー瓶内の希釈水と混合するように貯留体の１つに穴を開けることを含み得る。もう1つの態様において、本発明の清浄化組成物濃縮物は基材上で提供され得て、そして清浄化組成物濃縮物を含有する基材は希釈水と混合され得る。清浄化組成物濃縮物を含有する基材はスプレー瓶に供給され得る。基材はスプレー瓶浸漬管上を滑るためのスリーブとして提供される。清浄化組成物を用いるためのもう1つの方法は、濃縮物と希釈水とが約１：１〜約１：１０００の重量比（濃縮物：希釈水）で清浄化組成物濃縮物と希釈水とを混合することを含み得てそしてバッチ工程又は連続工程で提供され得る。
【発明を実施するための最良の形態】
【０００６】
本発明の清浄化組成物は洗浄剤組成物と呼ばれ得てそして濃縮洗浄剤組成物の形態で又はすぐに使用できる洗浄剤組成物として提供され得る。濃縮洗浄剤組成物は濃縮物と呼ばれ得て、そしてすぐに使用できる洗浄剤組成物又は用途組成物を提供するために希釈され得る。すぐに使用できる洗浄剤組成物は、それが表面の清浄化をもたらすために用いられることを意図されている組成物であるときに用途組成物と呼ばれ得る。さらに、すぐに使用できる洗浄剤組成物は表面を清浄化するために用いられることを意図される用途組成物を提供するためにさらに希釈され得る。ガラス洗浄剤の場合、すぐに使用できる組成物は用途組成物であり得てそしてさらなる希釈なしで表面に直接適用され得る。特定の硬い表面、例えば調理台又は床の清浄化のとき、すぐに使用できる組成物を希釈し（例えば、すぐに使用できる組成物の一部を水のバケットの中に入れて）そしてその結果得られる用途組成物で硬い表面を清浄化することが望ましくあり得る。
【０００７】
本発明の清浄化組成物は小売業者、営利の末端消費者、又は非営利の末端消費者への出荷用の濃縮物として提供され得る。小売業者又は営利の末端消費者は低濃度の濃縮洗浄剤組成物又はすぐに使用できる洗浄剤組成物を提供するために濃縮物を希釈し得る。小売業者は低濃度の濃縮洗浄剤組成物又はすぐに使用できる洗浄剤組成物を容器に入れて消費者に販売し得る。ガラス洗浄剤の場合、小売業者はすぐに使用できる形態でガラス洗浄剤を提供するために濃縮物を希釈し、次いで消費者への販売用にガラス洗浄剤をパッケージし得る。営利の末端消費者、例えば、車洗浄施設および清掃業務の業者はすぐに使用できる組成物を得るために濃縮物を希釈し、次いでそれらの清浄化業務にすぐに使用できる組成物を用い得る。非営利の末端消費者は濃縮物を購入しそしてすぐに使用できる組成物を形成するか又はすぐに使用できる組成物を購入し得る。
【０００８】
濃縮物として清浄化組成物を供給することにより、濃縮物は希釈する場所又は会場で入手可能な水で希釈し得る。水の硬度のレベルはある場所から他の場所で変わり得るということが確認された。従って、濃縮物は、望ましいすぐに使用できる組成物又は用途組成物を提供する一方で希釈する場所又は会場に依存して変化する硬度の量を有する水を用いて希釈され得るように配合され得る。
【０００９】
一般に、水の硬度は水中に存在し得るカルシウム、マグネシウム、鉄、マンガン、および他の多価金属カチオンの存在を示していて、水の硬度の水準は市町村毎に変わり得るということが理解される。水の硬度の水準変動が起こり得るので、濃縮洗浄剤組成物は水を軟化させるか又は水から硬度を除く必要がなくて異なる場所で見出される異なる水の硬度の水準を処理するため配合され得る。高固形物含有水は２００ｐｐｍを上回って全溶解固形物（ＴＤＳ）含量を有する水であるとみなされ得る。特定の場所では、用水が４００ｐｐｍを上回って、そしてさらに８００ｐｐｍを上回って全溶解固形物含量を含み得る。水の硬度は単位“グレイン（ｇｒａｉｎ）”によって特性化され、１グレインの水の硬度はＣａＣＯ３で表される１７．１ｐｐｍの硬度に相当する。硬水は少なくとも１グレイン硬度を有する水として特性化され得る。通常は少なくとも５グレイン硬度、少なくとも１０グレイン硬度、又は少なくとも２０グレイン硬度を有する硬水が入手可能である。
【００１０】
水中の硬度はアニオン界面活性剤の沈殿を引き起こし得る。目で見える沈殿は視角の倍率又は増進なくて肉眼によって観察され得る沈殿の形成を示す。本発明の清浄化組成物において、アニオン界面活性剤成分を保護するために、分散剤とシーティング剤又は保湿剤の少なくとも１つとを含む水の硬度の抗沈殿剤混合物が提供され得る。本発明の清浄化組成物は通常の清浄化組成物で見られる追加的な界面活性剤および他の成分を含み得る。
【００１１】
図１を参照すると、パッケージされた清浄化組成物濃縮物は１０にて示されている。清浄化組成物濃縮物１０は膜１２と膜１２内に供給された清浄化組成物濃縮物１４とを含む。膜１２は水溶性膜又は非水溶性膜であり得る。非水溶性膜の場合、膜は清浄化組成物濃縮物１４を放出するために引き裂かれるか又は切断され得る。次いで、清浄化組成物濃縮物１４は多量の水の中に導入され得る。例えば、清浄化組成物１４は容器中に注がれそして水と混合され得る。膜１２が水溶性膜（又は水分散性膜）であるとき、パッケージされた清浄化組成物濃縮物１０は多量の水中に導入され得てそして、時間と共に膜１２が溶解、分解又は分散し、そして清浄化組成物濃縮物１４は水と接触する。
【００１２】
膜１２はそれが清浄化組成物濃縮物１４を入れるか又は含有するように提供される。膜１２は、折り目１６を有して提供され得て、そして端部１８に沿ってヒートシール又は接着剤シールを有して提供され得る。当然のことながら、パッケージされた清浄化濃縮物１０は折り目なしで提供され得てそして端部はすべて熱シールされるか又は接着剤でシールされ得る。
清浄化組成物濃縮物を収容するか含有するために用いられ得る非水溶性膜は包装産業界で通常用いられる膜を含む。用いられ得る典型的な膜として、ポリエチレン、ポリプロピレン、ポリブチレン、ポリエステル、およびポリアミドが挙げられる。
【００１３】
用いられ得る水溶性（又は水分散性）膜は水溶性ポリマー、例えばこの参照によりこの開示に含まれるダビッドソン（Ｄａｖｉｄｓｏｎ）とシッティグ（Ｓｉｔｔｉｇ）の「水可溶性樹脂  ファン  ノストランド  ラインホルト社（Ｖａｎ  Ｎｏｓｔｒａｎｄ  Ｒｅｉｎｈｏｌｄ  Ｃｏｍｐａｎｙ）、ニューヨーク（１９６８年）」に記載のそれらポリマーから得られる膜を含む。水溶性ポリマーは適した特性、例えば機械操作を可能とするために強度および可撓性を有し得る。典型的な水溶性ポリマーとして、ポリビニルアルコール、セルロースエーテル、ポリエチレンオキシド、でんぷん、ポリビニルピロリドン、ポリアクリルアミド、ポリビニルメチルエーテル−無水マレイン酸、ポリ無水マレイン酸、スチレン無水マレイン酸、ヒドロキシエチルセルロース、メチルセルロース、ポリエチレングリコール、カルボキシメチルセルロース、ポリアクリル酸塩、アルギン酸塩、アクリルアミドコポリマー、グアーガム、カゼイン、エチレン−無水マレイン酸樹脂系列、ポリエチレンイミン、エチルヒドロエチルセルロース、エチルメチルセルロース、およびヒドロキシエチルメチルセルロースが挙げられる。低分子量水溶性ポリビニルアルコール膜形成ポリマーが一般的に好適である。用いられ得るポリビニルアルコールは約１０００〜約３０００００、そして約２０００〜約１５００００、そして約３０００〜約１０００００の重量平均分子量を有するものを含む。
【００１４】
典型的な水溶性パッケージ膜の例はこの参照によりその開示がこの開示に含まれる米国特許第６５０３８７９号、同第６２２８８２５号、同第６３０３５５３号、同第６４７５９７７号、および同第６６３２７８５号に開示されている。さらに、ヤンの米国特許第４４７４９７６号、ソネスタインの米国特許第４６９２４９４号、チャンの米国特許第４６０８１８７号、ハックの米国特許第４４１６７９３号、クラークの米国特許第４３４８２９３号、リーの米国特許第４２８９８１５号、アルバートの米国特許第３６９５９８９号を参照されたい。濃縮物をパッケージするために用いられ得る典型的な水溶性ポリマーの例としてポリビニルアルコールが挙げられる。
【００１５】
図２を参照すると、パッケージされた清浄化組成物濃縮物は２０で示されている。パッケージされた清浄化組成物濃縮物２０は清浄化組成物濃縮物２６を含有するカプセル材料２４を有するカプセル２２として提供される。カプセル２２は大量の水中に導入され得て、そしてカプセル材料２４は浄化組成物濃縮物２６の水との混合を可能とするため可溶化、分解、又は分散し得る。カプセル２２を特定の幾何学的な構造、例えば瓶（例えば、スプレー瓶）の首を通して挿入するのが容易であるのでカプセル２２は有利であり得る。従って、清浄化組成物を含有するスプレー瓶の内容物を使い果たすか又はほとんど使い果たしたとき、スプレー瓶を水で満たしそしてスプレー瓶中にカプセルを挿入し得て、又はスプレー瓶中にカプセルを挿入し次いでスプレー瓶を水で満たし得る。カプセル材料２４は前述の水溶性ポリマー又は水分散性ポリマーから提供され得る。
【００１６】
図３を参照すると、パッケージされた清浄化組成物濃縮物は３０で示されている。パッケージされた清浄化組成物濃縮物３０は清浄化組成物濃縮物および基材３２と濃縮物を取り囲み且つ含有するための膜３４を含有する基材３２を含む。基材３２を膜３４から除くことが望ましいとき、膜３４の上部３６を切断するか又は引き裂きそして基材３２をそれから取り除き得る。基材３２は、瓶浸漬管がそこを通って延びることを可能とする形態で提供され得る。基材３２の典型的な横断面図が図４に示されている。基材３２はスリーブ又は担体と呼ばれ得る。基材３２は第１基材３８と第２基材３９との積層体として提供され得る。第１基材３８と第２基材３９とは縫い目４０および４１で接合され得る。瓶浸漬管は空洞の開口４５を通って延び得る。一般的に、瓶浸漬管は、スプレーから瓶の底に延びている管を示し、そして瓶からスプレーノズルまで液体をくみ上げるために用いられる。
【００１７】
浸漬管上に用いられ得る典型的なスリーブが図５ａ〜５ｃに４６、４７、および４８で示されている。スリーブ４６は星形状を有して示されていて、スリーブ４７はひしがた形状を有して示されていて、そしてスリーブ４８は三角形状を有して示されている。スリーブ４６〜４８は、断面図として示されていてそして浸漬管がそこを通って延び得る開口４９を含んでいる。スリーブ４６〜４８は非織体として提供され得る。これらのスリーブ又はこれらとは異なる断面図形状を有するスリーブを形成するために用いられ得る非織体の製造のための典型的な開示として、例えば米国特許第６５７６０３４号、同第５６０７７６６号、米国特許公開第２００５−０１８９２９２号および米国特許公開第２００５−０１５３１３号が挙げられる。これらの特許公報における開示はこの参照によりその開示がこの開示に含まれる。スリーブ４６、４７、および４８は、三次元の非織体として特徴付けられそして吸上げ作用特性を有して提供され得る。
【００１８】
図３を参照して、膜３４は、基材３２が開放域４４中に移動するのを妨げる肩部４２および４３を有して提供され得る。瓶浸漬管の先端が開口４４中に入るように基材３２内の空洞開口４５を通して瓶浸漬管を導入することが可能である。瓶浸漬管の先端がその上にフック又は留め金を有していると、上部３６を通って膜３４から瓶浸漬管を引き上げるだけでその際に膜３４から基材３２を分離させて瓶浸漬管上に基材３２を残留させ得る。次いで、基材３２を含有する瓶浸漬管は瓶の中の水に導入され得る。スプレー瓶浸漬管上に用いられ得る典型的な基材の開示はこの参照によりその全開示がこの開示に含まれるケリーの米国特許第６２５０５１１号に示されている。
【００１９】
清浄化組成物濃縮物は基材３２に固形物、液体、又はゲルとして供給され得る。基材３２は含浸剤又は塗膜として清浄化組成物濃縮物を含有する布（例えば、非織体、織物、又は編物）の形状で供給され得る。固形物（例えば、粉末又は凝集体）として布に清浄化組成物濃縮物を供給すると他の基材、例えば膜３４の内部への洗浄剤組成物濃縮物の移動を減少させるのに有利であり得る。加えて、洗浄剤組成物濃縮物は、布が水の主要部、例えばスプレー瓶の内部に導入されるまで十分な量の洗浄剤組成物濃縮物が布上に留まっている場合、液体又はゲルとして供給され得る。
【００２０】
基材３２を確保するために瓶浸漬管を使用することの有利な点は消費者が手で基材３２に接することを避け得ることである。特定の環境下においては、基材３２に接することを避けることは有利な点であり得るが、消費者が基材に触れ得る基材の一部として清浄化組成物濃縮物は提供され得る。すなわち、他の態様においては、洗浄剤組成物用途組成物を作り出すために消費者は単にパッケージ又は容器から基材を取り除いて大量の水中に基材を導入し得る。さらに、基材は空洞開口を有する基材の形状で提供される必要がない。その代わりに、基材は単一又は複数の層構造を有して提供され得る。例えば、消費者は複数の基材を含有し得るパッケージ又は容器から基材を取り除き、次いで基材を容器内の水に入れ得る。特定の環境下では基材に接することを避けることが有利な点であり得るが、基材はそれに触れられ得るように構成され得る。基材が湿気を帯びていれば、皮膚組織への濃縮物の移動を減じるために基材への接触を避けることが望ましく有り得る。
【００２１】
図６を参照すると、パッケージされた清浄化組成物濃縮物は５０で示されている。パッケージされた清浄化組成物濃縮物５０は清浄化組成物濃縮物を含む複数の貯留層を有するカートリッジ５４として示されている。カートリッジ５４は、例えば瓶の首でカートリッジ５４を支えるために取り付けられそして複数の貯留体の１つに一度に穴を開けることを意図され得る。カートリッジ５４は第１貯留体５８、第２貯留体６０、第３貯留体６２、そして第４貯留体６４を有して示されている。当然のことながらカートリッジがより多いか又はより少ない貯留体を有して提供され得る。瓶の使用者は瓶の首にカートリッジ５４を挿入し得て、そしてそれがカートリッジ５４の開口５６を通って延びそして瓶浸漬管を伴うランスが貯留体の１つに穴を開け、その際に清浄化組成物濃縮物が水を含有し得る残りの瓶中に流れることが可能となるように瓶浸漬管が提供され得る。一度清浄化組成物が使い果たされるか又は使い尽くされると、消費者は清浄化組成物濃縮物を貯留体内の新しい分量の水と混合するためにカートリッジを回転させるか又はランスを回転させそして残っている貯留体の１つに穴を開け得る。カートリッジを用い得る典型的な構造はこの参照によりその全開示がこの開示に含まれる米国特許第６２９０１００号に開示されている。
【００２２】
図７を参照すると、濃縮物から清浄化組成物用途組成物を調製するための典型的な概略図が７０で示されている。概略図７０はバッチ工程を示している。清浄化組成物濃縮物７２は第１貯留体７４に導入され得る。例えば、清浄化組成物濃縮物７２を含有する瓶は第１貯留体７４に注がれ得る。次いで濃縮物は管路７７を通って大きい貯留体７６に流れることが可能となり得て、そして用途組成物を形成するように水７８が大きい貯留体７６に導入され得る。必要に応じて、用途組成物は出口８０を通って１つの瓶又は複数の瓶に導かれ得る。第１貯留体７４を満たすために用いられたと同じ瓶が出口８０を通って用途組成物を受け取るために繰り返し用いられ得る。
【００２３】
参照番号７０で示されている概略図はバッチ操作として特徴付けられ得る。すなわち、多量の用途組成物が多量の濃縮物から形成され得る。容器の繰り返し充填後に大きい貯留層７６が排出させると、所定量の濃縮物から用途組成物の新しいバッチを提供し得る。濃縮物の複数の成分が濃縮物によって提供される濃度において相溶性でなくそして相分離傾向を有するときにバッチ操作は有利であり得る。濃縮物が２つ以上の相に相分離傾向を有しているときにバッチ操作は用いられ得るが、さらに、バッチ操作は濃縮物が単一相を有して供給されるときにも用いられ得る。
【００２４】
図８を参照すると、清浄化組成物用途組成物を形成する典型的な連続した操作が１００で示されている。清浄化組成物濃縮物中の複数の成分の不相溶性に対応するために、清浄化組成物濃縮物の第１部分が注入口１０３を通って第１貯留体１０２に提供されそして清浄化組成物濃縮物の第２部分が注入口１０５を通って第２貯留体１０４に提供され得る。水１０６は導管１１０の末端で容器を満たすために管路１０８を通って導かれ得る。導管１１２および１１４を通って第１貯留体１０２から第１濃縮物をそして第２貯留体１０４から第２濃縮物をくみ上げるためにポンプ又はアスピレーターが用いられ得る。単一相として清浄化組成物濃縮物が提供され得ると、例えば組成物が充分なヒドロトロープを含有するかまたは複数の成分が相分離しないと、濃縮物を含有する単一の貯留体を有していると１００で示される典型的な連続した操作を提供することが望ましくあり得る。次いで濃縮物は水流中に送り込まれ又は吸引され得る。
【００２５】
当然のことながら、濃縮物は固形物、液体、又はゲルとして提供され得る。固形物の場合、清浄化組成物濃縮物は粉末、ペレット、タブレット、顆粒、又は塊として提供され得る。さらに、清浄化組成物濃縮物は単位用量として種々の形態で提供され得る。例えば、図１〜６との関連で、約６オンス〜約１ガロンの範囲の量の用途組成物量を提供するために濃縮物サイズが約０．５グラム〜約５０グラムであるように清浄化組成物濃縮物はパッケージされ得る。図７および８との関連で、複数の容器を満たすために用いられ得るすぐに使用できる大量の用途組成物を形成することがさらに有利であり得る。
【００２６】
アニオン界面活性剤
清浄化組成物は洗浄剤量の１つのアニオン界面活性剤又は複数のアニオン界面活性剤を含むアニオン界面活性剤成分を含有し得る。複数のアニオン界面活性剤はそれらの調湿および洗浄性の特性により清浄化組成物は望ましい。本発明により用いられ得るアニオン界面活性剤として清浄化産業において入手できる任意のアニオン界面活性剤が挙げられる。典型的なアニオン界面活性剤のグループとしてスルホン酸塩および硫酸塩が挙げられる。アニオン界面活性剤成分において提供され得る典型的な界面活性剤としてアルキルアリールスルホン酸塩、２級アルカンスルホン酸塩、アルキルメチルエステルスルホン酸塩、α−オレフィンスルホン酸塩、アルキルエーテル硫酸塩、アルキル硫酸塩、およびアルコール硫酸塩が挙げられる。
【００２７】
清浄化組成物に用いられ得る典型的なアルキルアリールスルホン酸塩は６〜２４の炭素原子を含有するアルキル基を有し得てそしてアリール基はベンゼン、トルエン、およびキシレンの少なくとも１つであり得る。典型的なアルキルアリールスルホン酸塩として直鎖アルキルベンセンスルホン酸塩が挙げられる。典型的な直鎖アルキルベンセンスルホン酸塩としてスルホン酸塩を形成するために中和される酸として提供され得る直鎖ドデシルベンジルスルホン酸塩が挙げられる。
【００２８】
清浄化組成物に用いられ得る典型的なアルカンスルホン酸塩は６〜２４の炭素原子を有するアルカン基を有し得る。用いられ得る典型的なアルカンスルホン酸塩として２級アルカンスルホン酸塩が挙げられる。典型的な２級アルカンスルホン酸塩としてクラリアン（Ｃｌａｒｉａｎｔ）社からホスタプール（Ｈｏｓｔａｐｕｒ）ＳＡＳとして市販されているＣ１４〜Ｃ１７の２級アルカンスルホン酸塩が挙げられる。
清浄化組成物に用いられ得る典型的なアルキルメチルエステルスルホン酸塩として６〜２４の炭素原子を含有するアルキル基を有するそれらが挙げられる。
清浄化組成物に用いられ得る典型的なα−オレフィンスルホン酸塩として６〜２４の炭素原子を含有するα−オレフィン基を有するそれらが挙げられる。
【００２９】
清浄化組成物に用いられ得る典型的なアルキルエーテル硫酸塩として約１〜約１０の繰り返しのアルコキシ基、約１〜約５の繰り返しのアルコキシ基を有するそれらが挙げられる。一般的に、アルコキシ基は約２〜約４個の炭素原子を含有する。典型的なアルコキシ基はエトキシ基である。典型的なアルキルエーテル硫酸塩はエトキシレート化ラウリンエーテル硫酸ナトリウムでありそしてＳｔｅｏｌ  ＣＳ−４６０の名称で市販されている。
清浄化組成物に用いられ得る典型的なアルキル硫酸塩として６〜２４の炭素原子を含有するアルキル基を有するそれらが挙げられる。典型的なアルキル硫酸塩としてラウリル硫酸ナトリウムおよびラウリル／ミリスチル硫酸ナトリウムが挙げられる。
清浄化組成物に用いられ得る典型的なアルコール硫酸塩として約６〜約２４の炭素原子を含有するアルコール基を有するそれらが挙げられる。
【００３０】
アニオン界面活性剤はアルカリ金属塩、アミン、又はそれらの混合物で中和され得る。典型的なアルカリ金属塩としてナトリウム、カリウム、およびマグネシウムが挙げられる。典型的なアミンとしてモノエタノールアミン、トリエタノールアミン、およびモノイソプロパノールアミンが挙げられる。塩の混合物が用いられる場合、典型的なアルカリ金属塩混合物はナトリウムとマグネシウムであり得て、そしてマグネシウムに対するナトリウムのモル比（ナトリウム：マグネシウム）は約３：１〜約１：１の範囲であり得る。
【００３１】
清浄化組成物は、濃縮物として提供されるときに、水で希釈後に望ましい調湿および洗浄性特性を有する用途組成物を提供するために充分な量のアニオン界面活性剤を含み得る。一般的に、濃縮物は固形物又は液体として提供され得る。濃縮物が液体として提供されるとき、それが送り込まれ又は吸引されるように直ちに流動性を有する形態で提供され得る。さらに、液体として提供されるとき濃縮物の流動性特性を保ちながら水の量を最小化することが望ましい。濃縮物は約０．１〜約３０重量％のアニオン界面活性剤、約０．５〜約２５重量％のアニオン界面活性剤、そして約１〜約１５重量％のアニオン界面活性剤を含有し得る。
【００３２】
非イオン界面活性剤成分
清浄化組成物は洗浄性量の１つの非イオン界面活性剤又は複数の非イオン界面活性剤の混合物を含有する非イオン界面活性剤を含み得る。非イオン界面活性剤はグリース除去特性を高めるために清浄化組成物に含有され得る。界面活性剤成分は非イオン界面活性剤を含み得るが、当然のことながら、非イオン界面活性剤は必要に応じて洗剤組成物から除外され得る。
【００３３】
洗剤組成物で用いられ得る非イオン界面活性剤としてポリアルキレンオキシド界面活性剤（ポリオキシアルキレン界面活性剤又はポリアルキレングリコール界面活性剤の別名でも知られる）が挙げられる。典型的なポリアルキレンオキシド界面活性剤としてポリオキシプロピレン界面活性剤およびポリオキシエチレングリコール界面活性剤が挙げられる。この型の典型的な界面活性剤は合成有機ポリオキシプロピレン（ＰＯ）−ポリオキシエチレン（ＥＯ）ブロックコポリマーである。これらの界面活性剤は、１つのＥＯブロックと１つのＰＯブロックと、中心の複数のポリオキシプロピレン（ＰＯ）単位のブロックとを含有し、そしてポリオキシプロピレン単位にグラフト化したポリオキシエチレンのブロック又はＰＯブロックの付着した中心のＥＯブロックを有するジブロックポリマーとを含む。さらに、この界面活性剤は分子内にポリオキシエチレン又はポリオキシプロピレンのいずれかのブロックをさらに有し得る。有用な界面活性剤の典型的な平均分子量の範囲は約１０００〜約４００００で有り得てそしてエチレンオキシドの重量割合は約１０〜８０重量％であり得る。
【００３４】
さらなる非イオン界面活性剤としてアルコールアルコキシレートが挙げられる。典型的なアルコールアルコキシレートとして直鎖のアルコールエトキシレート、例えば１１個の炭素原子を有するアルキル基および５モルのエチレンオキシドを含有する界面活性剤である商標Ｔｏｍａｄｏｌ  １−５が挙げられる。さらなるアルコールアルコキシレートとしてアルキルフェノールエトキシレート、枝分れしたアルコールエトキシレート、２級アルコールエトキシレート（例えば、バスフが提供しているＴｅｒｇｉｔｏｌ  １５−Ｓ−７）、ヒマシ油エトキシレート、アルキルアミンエトキシレート、牛脂油アミンエトキシレート、脂肪酸エトキシレート、ソルビトールオレイトエトキシレート、末端付加エトキシレート、又はそれらの混合物が挙げられる。さらなる非イオン界面活性剤としてアミド、例えば脂肪族アルカノールアミド、アルキルジエタノールアミド、ココナツジエタノールアミン、ラウリンアミドジエタノールアミド、ココアミドジエタノールアミド、ポリエチレングリコールココアミド（例えば、ＰＥＧ−６ココアミド）、オレイックジエタノールアミド、又はそれらの混合物が挙げられる。さらなる非イオン界面活性剤としてポリアルコキシル化脂肪族塩基、ポリアルコキシル化アミド、グリコールエステル、グリセロールエステル、アミンオキシド、リン酸エステル、アルコールフォスフェート、脂肪族トリグリセリド、脂肪族トリグリセリドエステル、アルキルエーテルフォスフェート、アルキルエステル、アルキルフェノールエトキシレートフォスフェートエステル、アルキルポリサッカリド、ブロックポリマー、アルキルポリグルコシド、又はそれらの混合物が挙げられる。
【００３５】
非イオン界面活性剤が洗剤組成物濃縮物に含有されるとき、それらは少なくとも約０．１重量％の量で含有され得てそして約１５重量％以下の量で含有され得る。濃縮物は約０．５重量％〜約１２重量％又は約２重量％〜約１０重量％の非イオン界面活性剤を含み得る。
【００３６】
両性界面活性剤成分
用いられ得る両性界面活性剤は望ましい洗浄性特性を提供する。用いられ得る典型的な両性界面活性剤としてベタイン、イミダゾリン、およびプロピネートが挙げられる。典型的な両性界面活性剤としてスルタイン、両性プロピオネート、両性ジプロピオネート、アミノプロピオネート、アミノジプロピオネート、両性アセテート、両性ジアセテート、および両性ヒドロキシプロピルスルフォネートが挙げられる。
洗剤組成物濃縮物は両性界面活性剤なしで提供され得る。洗剤組成物が両性界面活性剤を含有するとき、両性界面活性剤は約０．１重量％〜約１５重量％の量を含有され得る。濃縮物は約０．５重量％〜約１２重量％又は約２重量％〜約１０重量％の両性界面活性剤を含有し得る。
【００３７】
分散剤成分
洗剤組成物濃縮物は分散剤を含有し得る。分散剤は約４０°Ｆまで下がった温度、そして凝固まで下がった温度での沈殿からの安定性を提供するために役立ち得る。
分散剤は水に検出された硬度に対処するために清浄化組成物に通常加えられる成分である。本発明により用いられ得る分散剤として“石灰せっけん分散剤”と呼ばれる分散剤が挙げられる。一般に、当然のことながら分散剤は水の硬度によって引き起こされるアニオン界面活性剤の沈殿を妨げる傾向にある。
【００３８】
本発明により用いられ得る分散剤としてペンダントカルボン酸基および／又はペンダントカルボン酸塩の基を含有するポリマーおよび／又はオリゴマーが挙げられ得る。当然のことながら、“ペンダント”という用語はポリマー骨格および／又はオリゴマー骨格以外に存在する基を呼ぶ。分散剤はホモポリマー又はコポリマーとして又はホモオリゴマー又はコオリゴマーとして使用し得る。典型的な分散剤としてポリ（アクリル酸）、ポリ（アクリル酸／マレイン酸）コポリマー、ポリ（マレイン酸／オレフィン）コポリマー、ホスフィノカルボキシル化ポリマー、およびそれらの混合物が挙げられる。
【００３９】
分散剤は濃縮物に可溶性又は分散性であり得てそして使用しない場合と比較して濃縮物又は用途溶液の粘度を著しく増加させない成分であり得る。分散剤はホモポリマー又はコポリマーであり得て、そして約３００〜約５００００００の範囲の分子量を有し得て、そして約２０００〜約２００００００の範囲の分子量を有し得て、そして約３０００〜約５０００００の範囲の分子量を有し得る。分散剤はアクリル酸、マレイン酸、ポリオール、オレフィン、およびそれらの混合物に基づいた繰り返し単位を含み得る。典型的な分散剤は無水マレイン酸／オレフィンコポリマーである。典型的な無水マレイン酸／オレフィンコポリマーはロームアンドハース社からＡｃｕｓｏｌ  ４６０Ｎの名称で販売されている。約４５００の分子量を有する典型的なポリアクリル酸ナトリウム塩がロームアンドハース社からＡｃｕｓｏｌ  ４３４Ｎの名称で販売されている。約３２００の分子量を有する典型的なアクリル酸／無水マレイン酸コポリマーがロームアンドハース社からＡｃｕｓｏｌ  ４４８の名称で販売されている。約７００００の分子量を有する典型的なアクリル酸／マレイン酸ナトリウム塩がロームアンドハース社からＡｃｕｓｏｌ  ４７９Ｎの名称で販売されている。約４００００の分子量を有する典型的なアクリル酸／マレイン酸ナトリウム塩がロームアンドハース社からＡｃｕｓｏｌ  ５０５Ｎの名称で販売されている。一般に、分散剤が酸として提供される場合、そのｐＨは中性又はアルカリ性に調整され得る。ｐＨの調整は濃縮物の形成前又は濃縮物の形成の間にもたらされ得る。さらに、ｐＨの調整は用途溶液を提供するために希釈水で希釈する前又は希釈する間に起こり得る。
【００４０】
分散剤は、シーティング剤および／又は保湿剤の量を考慮して、硬水で希釈されるときにアニオン界面活性剤の沈殿を妨げるために充分な量を洗剤組成物濃縮物中に提供され得る。一般に、濃縮物は約０．０１重量％〜約１０重量％の分散剤、約０．１重量％〜約５重量％の分散剤、そして約０．２重量％〜約４重量％の分散剤を含有し得る。
【００４１】
シーティング剤および保湿剤成分
洗剤組成物濃縮物はシーティング剤、保湿剤、又はシーティング剤と保湿剤との組み合わせを含有し得る。分散剤とシーティング剤又は保湿剤の少なくとも１つとの組み合わせは水の硬度に抗沈殿剤特性を与え得ると考えられている。分散剤とシーティング剤又は保湿剤の少なくとも１つとの組み合わせは水の硬度によって引き起こされるアニオン界面活性剤成分の沈殿への抵抗性のある用途組成物を提供し得る。典型的な水の硬度抗沈殿剤混合物は米国特許商標庁に２００３年１１月２５日に出願された米国特許公開第２００４−０１５４６４０号に開示されている。この米国特許公開第２００４−０１５４６４０号の全開示はこの参照によりこの開示に含まれる。
シーティング剤又は保湿剤は、望ましい水準のシーティング作用を提供しそして分散剤と組み合わされるとき硬水の存在下にアニオン界面活性剤の沈殿に抵抗性を引き起こす任意の成分であり得る。
【００４２】
本発明により用いられ得る典型的なシーティング剤として非イオンブロックポリマー、アルコールアルコキシレート、アルキルポリグリコシド、双性イオン、アニオン、およびそれらの混合物を含む界面活性剤が挙げられる。さらに典型的なシーティング剤としてアルコールエトキシレート、アルコールプロポキシレート、アルキルフェノールエトキシレート−プロポキシレート、カルボン酸、アミン、アミドおよびエステルのアルコキシル化誘導体、およびエチレンオキシド−プロピレンオキシドコポリマーが挙げられる。典型的なエチレンオキシド−プロピレンオキシドポリマーとしてバスフ社からＰｌｕｒｏｎｉｃ、Ｐｌｕｒｏｎｉｃ  Ｒ、Ｔｅｔｒｏｎｉｃ、およびＴｅｔｒｏｎｉｃ  Ｒという名称で販売されているポリマーが挙げられる。
【００４３】
典型的な非イオンブロックポリマー界面活性剤としてポリオキシエチレン−ポリオキシプロピレンブロックコポリマーが挙げられる。用いられ得る典型的なポリオキシエチレン−ポリオキシプロピレンブロックコポリマーは式：
（ＥＯ）ｘ（ＰＯ）ｙ（ＥＯ）ｘ
（ＰＯ）ｙ（ＥＯ）ｘ（ＰＯ）ｙ
（ＰＯ）ｙ（ＥＯ）ｘ（ＰＯ）ｙ（ＥＯ）ｘ（ＰＯ）ｙ
（式中、ＥＯはエチレンオキシド基を示し、ＰＯはポロピレンオキシド基を示し、そしてｘおよびｙは全ブロックコポリマー組成中の各アルキレンオキシドモノマーの平均分子割合を示す。好適には、ｘは約１０〜約１３０であり、ｙは約１５〜約７０であり、ｘとｙとの合計は約２５〜約２００である。当然のことながらｘおよびｙの各々は分子内で異なり得る。）を有する。
【００４４】
ブロックコポリマー中の全ポリオキシエチレン成分はブロックコポリマーの少なくとも約２０モル％であり、そしてさらに好適にはブロックコポリマーの少なくとも約３０モル％である。材料は約１５００より大きくそしてさらに好適には約２０００より大きい分子量を有する。上記の典型的なポリオキシエチレン−ポリオキシプロピレンブロックコポリマーの構造は３ブロックおよび５ブロックを有するが、当然のことながら本発明による非イオンブロックコポリマー界面活性剤は３ブロックおよび５ブロックより大か又は未満を含有し得る。さらに、非イオンブロックコポリマー界面活性剤は付加的繰り返し単位、例えばブチレンオキシド繰り返し単位を含有し得る。さらに、本発明により用いられ得る非イオンブロックコポリマー界面活性剤はヘテリックポリオキシエチレン−ポリオキシプロピレンブロックコポリマーと特徴付けられ得る。本発明により用いられ得る典型的なシーティング剤はＢＡＳＦからＰｌｕｒｏｎｉｃの名称で販売されていて、そして本発明により用いられ得る典型的なＥＯ−ＰＯコポリマーはＰｌｕｒｏｎｉｃ  Ｎ３の名称で販売されている。
【００４５】
非イオンブロックコポリマーの望ましい特性は材料の曇り点である。この種の非イオン界面活性剤の曇り点は界面活性剤の１重量％水溶液が加熱されるときに曇りに変化する温度として定義される。米国における非イオンブロックコポリマーの主要メーカーであるＢＡＳＦはリンス剤が低分子量（例えば約５０００未満）を有しそして水性リンス剤の典型的な温度未満の１重量％水溶液曇り点の両方を有する非イオンＥＯ−ＰＯシーティング剤で配合されることを勧めている。高曇り点又は高分子量を有する非イオン界面活性剤は受け入れ難い水準の泡立ちを出現させるか又は洗浄剤補助組成物に適したシーティング能を提供し損なうということを当業者なら理解すると考えられる。
【００４６】
本発明によりシーティング剤として用いられ得るアルコールアルコキシレート界面活性剤は式：
Ｒ（ＡＯ）ｘ−Ｘ
（式中、Ｒは６〜２４の炭素原子を含有するアルキル基であり、ＡＯは２〜１２の炭素原子を含有するアルキレンンオキシド基であり、ｘは１〜７５であり、Ｘは水素又は１〜１２の炭素原子を含有するアルキル又はアリール基である。）を有し得る。用いられ得る典型的なアルコールアルコキシレートはＢＡＳＦからＰｌｕｒａｆａｃ  ＬＦ３０３の名称で販売されている。アルキレンオキシド基はエチレンオキシド、プロピレンオキシド、ブチレンオキシド、又はそれらの混合物であり得る。さらに、アルキレンオキシドはデシレンオキシド基をキャップとして含有し得る。さらに、アルコールアルコキシレートは１〜２０のｘ値を有することで特徴付けられ得る。
【００４７】
本発明によりシーティング剤として用いられ得るアルキルポリグリコシドは式：
（Ｇ）ｘ−Ｏ−Ｒ
（式中、Ｇは５又は６の炭素原子を含有するサッカリド、例えばペントース又はヘキトースの還元で得られ部分であり、Ｒは６〜２４の炭素原子を含有する脂肪族基であり、そしてｘはポリグリコシドにおけるモノサッカリド繰り返し単位の数を示すポリグリコシドの重合度（ＤＰ）である。ｘの値は約０．５〜約１０の範囲であり得る。Ｒは１０〜１６の炭素原子を含有し得てそしてｘは０．５〜３であり得る。）を有し得る。
【００４８】
本発明によりシーティング剤として用いられ得る双性イオン界面活性剤としてβ−Ｎ−アルキルアミノプロピオネート、Ｎ−アルキル−β−イミノジプロピオネート、イミダゾリンカルボキシレート、Ｎ−アルキルベタイン、スルホベタイン、スルタイン、アミンオキシドおよびポリベタインポリシロキサンが挙げられる。好適なポリベタインポリシロキサンは式：
【００４９】
【化１】
2009535448.tif 000003
【００５０】
（式中、Ｒは
【００５１】
【化２】
2009535448.tif 000004
【００５２】
であり、ｎは１〜１００でありｍは０〜１００、好適には１〜１００である。）を有する。好適なポリベタインポリシロキサンはゴールド・シュミットケミカル社（Ｇｏｌｄｓｃｈｍｉｄｔ  Ｃｈｅｍｉｃａｌ  Ｃｏｒｐ．）から登録商標ＡＢＩＬの名称で販売されている。用いられ得る好適なアミンオキシドとして６〜２４の炭素原子を含有するアルキル基を含有するアルキルジメチルアミンオキシドが挙げられる。好適なアミンオキシドはラウリルジメチルアミンオキシドである。
【００５３】
本発明によりシーティング剤として用いられ得るアニオン界面活性剤としてカルボン酸塩、スルホン酸塩、硫酸エステル塩、リン酸およびポリリン酸エステル、ペルフルオロアニオン、およびそれらの混合物が挙げられる。典型的なカルボン酸塩として直鎖脂肪酸のナトリウムおよびカリウム塩、ヤシ油脂肪酸のナトリウムおよびカリウム塩、トールオイル酸のナトリウムおよびカリウム塩、アミン塩、サルコシド、およびアシルポリペプチドが挙げられる。典型的なスルホン酸塩として直鎖アルキルベンゼンスルホン酸塩、Ｃ１３−Ｃ１５アルキルベンゼンスルホン酸塩、ベンゼンクメンスルホン酸塩、トルエンクメンスルホン酸塩、キシレンクメンスルホン酸塩、リグニンスルホン酸塩、石油類スルホン酸塩、Ｎ−アシル−ｎ−アルキルタウレート、パラフィンスルホン酸塩、２級ｎ−アルカンスルホン酸塩、α−オレフィンスルホン酸塩、スルホサクシネートエステル、アルキルナフタレンスルホン酸塩、およびイセチオン酸塩が挙げられる。典型的な硫酸エステル塩として硫酸化直鎖１級アルコール、硫酸化ポリオキシエチレン直鎖アルコール、および硫酸化トリグリセリド油が挙げられる。
【００５４】
本発明によりシーティング剤として用いられ得る典型的な界面活性剤は、この参照によりこの開示に含まれる「ローゼン（Ｒｏｓｅｎ）、「界面活性剤と界面現象」、第２版、ジョンウィリーとサンズ、１９８９年」に開示されている。本発明により用いられ得る保湿剤として水への親和性を示しそして基材への水の吸収を増進させるのに役立つそれらの材料が挙げられる。保湿剤がシーティング剤の不存在下に用いられる場合、保湿剤は硬水の存在下でアニオン界面活性剤の沈殿を妨げるために分散剤と協働し得ねばならない。本発明により用いられ得る典型的な保湿剤としてグリセリン、プロピレングリコール、ソルビトール、アルキルポリグリコシド、ポリベタインポリシロキサン、およびそれらの混合物が挙げられる。保湿剤として用いられ得るアルキルポリグリコシドおよびポリベタインポリシロキサンとしてシーティング剤として前述したそれらが挙げられる。
【００５５】
保湿剤が清浄化組成物に加えられるとき、用いられるシーティング剤の量に基づいた量で用いられ得る。一般に、シーティング剤に対する保湿剤の重量比（保湿剤：シーティング剤）は１：３より大きく、そして約５：１〜約１：３の範囲で提供され得る。当然のことながら、シーティング剤に対する保湿剤の重量比の特性はシーティングに対する保湿剤の最低の量は１：３であること、そしてシーティング剤の同量に対してより多くの保湿剤が用いられ得るということを示す。シーティング剤に対する保湿剤の重量比は約４：１〜約１：２の範囲であり得て、そして約３：１〜約１：１の範囲であり得る。保湿剤を清浄化組成物に用いるとき、シーティング剤と保湿剤とは同じ化学分子でないことが望ましい。アルキルポリグリコシドとポリベタインポリシロキサンとはシーティング剤および保湿剤の両方で同一に扱われているが、当然のことながら清浄化組成物は好適にはシーティング剤および保湿剤のいずれとしても機能している特定のアルキルポリグリコシドを有してはいないし、そして好適にはシーティング剤および保湿剤として機能している特定のポリベタインポリシロキサンを有してはいない。しかしながら、当然のことながら、異なるアルキルポリグリコシドおよび／又は異なるポリベタインポリシロキサンは特定の清浄化組成物のシーティング剤および保湿剤として用いられ得る。
【００５６】
当然のことながら、保湿剤と特徴付けられる特定の成分は従来の組成物において、例えば加工助剤、ヒドロトロープ、溶媒、および助剤成分として用いられてきた。そういう場合、水を含有する高固体の存在下で固体水の膜化を低減させる量又は環境では成分が用いられてこなかったと考えられる。洗浄剤組成物での保湿剤の使用は、この参照によりこの開示に含まれる米国特許第６６７３７６０号に記載されている。
濃縮物は、硬水によるアニオン界面活性剤の沈殿を妨害するため分散剤と協働する所定量のシーティング剤および／又は保湿剤を含有し得る。濃縮物は約０．００１重量％〜約１０重量％のシーティング剤および／又は保湿剤、そして約０．０１重量％〜約８重量％のシーティング剤および／又は保湿剤、そして約０．０５重量％〜約５重量％のシーティング剤および／又は保湿剤を含有し得る。
【００５７】
清浄化組成物に供給され分散剤およびシーティング剤又は保湿剤の少なくとも１つの量は、濃縮物の用途液への希釈の結果として様々な地方からの予期される水硬度の水準を処理するために制御され得る。一般に、シーティング剤および／又は保湿剤の全量に対する分散剤の重量比（分散剤：シーティング剤および／又は保湿剤の全量に）は約１：７５〜約７５：１、約１：３０〜約３０：１、約１：２５〜約２５：１、約１：１５〜約１５：１、約１：１０〜約１０：１、そして約１：５〜約５：１であり得ると予想される。
【００５８】
水成分
濃縮物は固形物、液体、又はゲル、又はそれらの組み合わせの形態で提供され得る。濃縮物は濃縮物の輸送費を低減するために水なしで配合されるか又は比較的少量の水で配合され得る。濃縮物が液体として提供されるとき、送り込まれ又は吸引され得るように流動性を有する形態でそれを提供することが望ましい。少量の液体を正確に送り込むことは通常困難であるということが見出されている。大量の液体を送り込むことが通常効果的である。従って、輸送コストを低減するために出来る限り少量で濃縮物を提供することが望ましいが、正確に計量分配され得る濃縮物を容易にすることも同様に望ましい。結果として、本発明による濃縮物は、水を含むとき、約０．１重量％〜約９９重量％、約３０重量％〜約９５重量％、そして約４０重量％〜約９０重量％の量の水を含有し得る。
【００５９】
当然のことながら、濃縮物の一部として供給される水は比較的硬度がない。溶解した固形物の一部を除くために水は脱イオンされ得ると予想される。次いで、濃縮物は希釈する場所および会場で入手できる水で希釈されそしてその水は場所に依存して種々のレベルの硬度を含有し得る。脱イオンは濃縮物の配合にとって望ましいが、濃縮物は脱イオンされなかった水で配合され得る。すなわち、濃縮物は、溶解した固形物を含む水で配合され得て、そして硬水と特徴付けられる水で配合され得る。
【００６０】
様々な市町村で入手できる用水は種々の水準の硬度を有している。存在し得るカルシウム、マグネシウム、鉄、マンガン、又は他の多価金属カチオンがアニオン界面活性剤の沈殿を引き起こし得ると一般に理解されている。一般に、用途溶液を提供するため見込まれる濃縮物の希釈の度合いが大きいために、特定の市町村からの用水は他の市町村からの用水よりもアニオン界面活性剤の沈殿に対する潜在能力に大きな影響を与え得ると予想される。結果として、様々な市町村の用水で見出される硬度水準に対処し得る濃縮物を提供することが望ましくあり得る。
【００６１】
硬度の水準が相当に高いと考えられるとき、用途溶液を形成するために濃縮物を希釈するのに用いられる大量の希釈水により、従来の材料を用いて硬度に対処することは困難であり得る。材料はカチオン塩とモルの関係で作用する傾向を有しているので、材料成分が硬度への対処に関与する唯一の成分であると濃縮物は大量の材料成分を必要とするであろう。それ故、アニオン界面活性剤成分の沈殿を防止するために濃縮物に多量の材料を加えることが可能であるとしても、様々な市町村の用水で見出される水準の硬度に対処するために余り多くの材料を必要としない濃縮物を提供することが望ましくあり得る。
【００６２】
濃縮物を希釈するために用いられ得る希釈水は、それが少なくとも１グレイン硬度を含むとき硬水として特徴付けられ得る。希釈水は少なくとも５グレイン硬度、少なくとも１０グレイン硬度、又は少なくとも２０グレイン硬度を含み得ると予想される。
濃縮物は望ましい水準の洗浄特性を有する用途溶液を提供するために希釈水で希釈され得る。濃縮物が大量の水を含有すると、濃縮物は望ましい用途溶液を提供するために希釈水に対する濃縮物の重量比（濃縮物：希釈水）が少なくとも１：１の希釈水で希釈され得る。濃縮物が水を含有しないか又は非常に少ない水を含有すると、濃縮物は望ましい用途組成物を提供するために希釈水に対する濃縮物の重量比（濃縮物：希釈水）が約１：１０００以下の希釈水で希釈され得る。希釈水に対する濃縮物の重量比は約１：５〜約１：５００、約１：１０〜約１：４００、そして約１：２０〜約１：３００であり得る。
【００６３】
濃縮物は重量パーセントの活性体に基づいて特徴付けられる。活性体とは組成物中の非水性部分を示す。望ましい用途組成物を提供するために濃縮物が上記の希釈比で希釈され得るように相当に高い重量パーセントの活性体を持つ濃縮物を提供することが望ましくあり得る。濃縮物は少なくとも約１重量％の活性体、そして好適には少なくとも約５重量％の活性体、そしてさらに好適には少なくとも約１０重量％の活性体を含有し得る。さらに、濃縮物は少なくとも約２０重量％の活性体、少なくとも約４０重量％の活性体、又は少なくとも約５０重量％の活性体を含有し得る。濃縮物が水なしで提供されると、それは１００％活性体として特徴付けられ得る。濃縮物は９９重量％未満の活性体、９０重量％未満の活性体、又は約８０重量％未満の活性体を含有し得る。
【００６４】
他の成分
洗浄組成物は清浄特性を改善するためおよび／又は清浄される表面からの水の蒸発速度を改善するために有機溶媒を含有し得る。一般に、清浄の改善と蒸発の改善とは用途溶液の適用に依存して両立され得る。さらに、清浄化組成物は単一の有機溶媒又は複数の有機溶媒の混合物を含有し得る。
用いられ得る典型的な有機溶媒として炭化水素、アルキル又はシクロアルキル型のハロゲン化炭化水素部分が挙げられ、そして有機溶媒は室温よりもかなり上の、例えば約２０℃より高い沸点を有し得る。
【００６５】
有機溶媒を選択するための考慮すべき事項として清浄化特性とエステティック条件が挙げられる。例えば、ケロシン炭化水素は本発明の組成物において頑固な油汚れを落とすためにかなり有効に機能するが、悪臭を放ち得る。業務用の状況下でさえ、ケロシンは使用され得る前に格別に清浄でなければならない。悪臭が許容されない家庭用には、配合する人は比較的さわやかな香り、又は芳香を加えることによって無理なく改善される香りを有する溶媒を選択しそうである。
【００６６】
Ｃ６〜Ｃ９のアルキル芳香族溶媒、特にＣ６〜Ｃ９のアルキルベンゼン、好適にはオクチルベンゼンは優れたグリース除去特性を示しそして少ない、さわやかな香りを有している。同様に少なくとも約１００℃の沸点を有するオレフィン溶媒、特にα−オレフィン、好適には１−デセン又は１−ドデセンは優れたグリース除去溶媒である。
一般に、この発明で役立つグリコールエーテルは式Ｒ１Ｏ−（Ｒ２Ｏ−）ｍ１Ｈ（式中、各Ｒ１は１〜８の炭素原子を含有し、各Ｒ２はエチレン又はプロピレンであり、そしてｍは１〜３の数字である。）を有する。典型的なグリコールエーテルとしてモノプロピレングリコールモノプロピルエーテル、ジプロピレングリコールモノブチルエーテル、モノプロピレングリコールモノブチルエーテル、エチレングリコールモノヘキシルエーテル、エチレングリコールモノブチルエーテル、ジエチレングリコールモノヘキシルエーテル、モノエチレングリコールモノヘキシルエーテル、モノエチレングリコールモノブチルエーテル、およびそれらの混合物が挙げられる。
【００６７】
溶媒、例えば松根油、ミカンテルペン、ベンジルアルコール、ｎ−ヘキサノール、Ｃ１−４アルコールのフタル酸エステル、ブトキシプロパノール、ブチルカルビトール（登録商標）および１（２−ｎ−ブトキシ−１−メチルエトキシ）プロパン−２−オール（又はブトキシプロポキシプロパノール又はジプロピレングリコールモノブチルエーテルと呼ばれる。）、ヘキシルジグリコール（ヘキシルカルビトール（登録商標））、ブチルトリグリコール、ジオール、例えば２，２，４−トリメチル−１，３−ペンタンジオール、およびそれらの混合物が用いられ得る。
【００６８】
濃縮物は望ましい清浄化および蒸発の特性を与えるために所定量の有機溶媒成分を含有し得る。一般に、溶媒の量は、用途溶液が個々の種類の洗浄剤に対する揮発性有機化合物（ＶＯＣ）規則に従っているように制限されるべきである。さらに、当然のことながら有機溶媒は任意の成分でありそして本発明による濃縮物又は用途溶液に加えられる必要はない。有機溶媒が濃縮物に含有されるとき、それは約０．１重量％〜約９９重量％、約５重量％〜約７０重量％、そして約１０重量％〜約６０重量％、そして約３０重量％〜約５０重量％の量で提供され得る。
【００６９】
比較的に中性又はアルカリ性のｐＨを有する用途溶液を提供することが望ましくあり得る。多くの場合、希釈水としての硬水の存在は用途溶液が中性又はアルカリ性のｐＨを示すのを引き起こすと考えられている。比較的に中性又はアルカリ性のｐＨを確保するために、緩衝剤が濃縮物に加えられ得る。一般に、緩衝剤の量は約６〜１４、約７〜１２、又は約９〜１１の範囲のｐＨを有する用途組成物を提供するために充分であるべきである。
緩衝剤はアリカリ性度源を含有し得る。典型的なアルカリ緩衝剤としてアルカノールアミンが挙げられる。典型的なアルカノールアミンはβ−アミノアルカノールおよび２−アミノ−２−メチル−１−プロパノール（ＡＭＰ）である。
【００７０】
好適なアルカノールアミンは複数のβ−アミノアルカノール化合物である。それらはｐＨが約８．５であるとき、そして特に約９．０より高いとき主として溶媒として役立つ。同様にそれらは使用する間はアルカリ緩衝能力を提供し得る。典型的なβ−アミノアルカノールは２−アミノ−１−ブタノール、２−アミノ−２−メチル−１−プロパノール、およびそれらの混合物である。最も好ましいβ−アミノアルカノールは、３級炭素原子に結合したアミノ基を有するβ−アミノアルカノールのうち最も小さい分子量を有していることから２−アミノ−２−メチル−１−プロパノールである。β−アミノアルカノールは好適には約１７５℃未満の沸点を有する。好適には、前記の沸点は約５℃〜１６５℃内である。
【００７１】
β−アミノアルカノール、そして特にモノエタノールアミンおよび好適な２−アミノ−２−メチル−１−プロパノールはそれらの比較的大きい分子量を考慮すると驚くほど清浄化面から揮発しやすい。約０．０１０％の２−アミノ−２−メチル−１−プロパノール相当量未満のレベルでは配合物のｐＨを狭い範囲に維持するために必要な緩衝能力を与えるために充分ではないと考えられている。
【００７２】
同様に用いられ得る他の適したアルカリ性度剤としてアルカリ金属の水酸化物、例えば水酸化ナトリウム、水酸化カリウム等、およびアルカリ金属の炭酸塩又は重炭酸ナトリウム、およびケイ酸塩、例えばケイ酸カリウムが挙げられる。典型的な水酸化カリウムはフレーク（９０％）又はビーズとして販売されている。典型的なケイ酸カリウムはＫａｓｉｌ番号６（９０％）の名称で販売されている。水溶性アルカリ金属炭酸塩および／又は重炭酸塩、例えば重炭酸ナトリウム、重炭酸カリウム、炭酸カリウム、炭酸セシウム、炭酸ナトリウム、およびそれらの混合物は、ガラスの清浄化で典型的に行われるように生成物が表面上で水分をふき取られるとき造膜／筋付けを改善するために本発明の組成物に加えられ得る。好適な塩は炭酸ナトリウム、炭酸カリウム、重炭酸ナトリウム、重炭酸カリウム、それぞれの水和物、およびそれらの混合物である。
【００７３】
米国特許第６４２０３２６号の教示に反して、本発明の濃縮物はガラス清浄化組成物として有害な筋付けに直面することなく０．０５０重量％の２−アミノ−２−メチル−１−プロパノール相当量より高い緩衝能力を含有し得る。さらに、本発明の濃縮物は０．０７０重量％の２−アミノ−２−メチル−１−プロパノール相当量より高い、そして０．１重量％の２−アミノ−２−メチル−１−プロパノール相当量より高い緩衝能力を含有し得る。
【００７４】
本発明による清浄化組成物は用水中の硬度成分の悪影響を低減するのに役立つ錯化剤又はキレート剤を含有し得る。典型的に、用水中に存在するカルシウム、マグネシウム、鉄、マンガン、又は他の多価金属カチオンが清浄化組成物の作用を妨げ得る。キレート剤は金属カチオンと錯体を形成しそして錯体形成した金属カチオンが洗浄剤の活性成分の作用を妨害するのを防止するために提供され得る。有機および無機のキレート剤のいずれも一般的である。無機キレート剤としてピロリン酸ナトリウム、トリポリリン酸ナトリウム、およびピロリン酸カリウムのような化合物が挙げられる。有機キレート剤として高分子および低分子のキレート剤が挙げられる。高分子キレート剤は通常イオノマー組成物、例えばポリアクリル酸化合物を含む。低分子有機キレート剤としてアミノカルボン酸塩、例えばエチレンジアミン四酢酸（ＥＤＴＡ）およびヒドロキシエチレンジアミン四酢酸の塩、ニトリロ三酢酸の塩、エチレンジアミン四プロピオン酸塩、トリエチレンテトラアミン六酢酸塩、およびそれぞれのアルカリ金属アンモニウム塩およびそれらの置換アンモニウム塩、クエン酸塩、例えばクエン酸ナトリウム、およびメチルグリシン二酢酸３ナトリウム（ＭＧＤＡ）が挙げられる。
【００７５】
ＭＧＤＡはＢＡＳＦからＴｒｉｌｏｎＭという名称で販売されている。同様にホスホン酸塩は本発明の組成物のキレート剤用として適していてそしてホスホン酸塩としてはエチレンジアミンテトラ（メチレンホスホン酸塩）、ニトリロトリスメチレンホスホン酸塩、ジエチレントリアミンペンタ（メチレンホスホン酸塩）、ヒドロキシエチリデンジホスホン酸塩、および２−ホスホノブタン−１，２，４−トリカルボン酸が挙げられる。好適なキレート剤としてホスホン酸塩アミノカルボン酸塩が挙げられる。これらのホスホン酸塩は一般に８個未満の炭素原子を有するアルキル又はアルキレン基を含有している。
【００７６】
当然のことながら濃縮物は通常ビルダー、キレート剤、又は金属イオン封鎖剤として特徴付けられる成分なしで提供され得る。しかしながら、これらの成分が清浄化組成物に加えられると有利である。これらの成分が含有されるとき、希釈水が相当に硬水であると考えられそして濃縮物に対する希釈水の割合が相当に高いときは、それらは用途溶液を形成するために濃縮物と混合する希釈水に起因する水の硬度を処理するために必要又は充分であるより少ない量で供給され得る。
【００７７】
洗浄組成物濃縮物はヒドロトロープを含有し得る。一般に、ヒドロトロープは組成物中の複数の成分を一緒に存在させる手助けとなるために存在し得る。典型的なヒドロトロープとしてキシレン、トルエン、エチルベンゾエート、イソプロピルベンゼン、ナフタレン、アルキルジフェニルオキシド２硫酸塩、アルキルナフタレン硫酸塩、アルコキシルアルキルフェノールのリン酸エステル、アルコキシルアルコールのリン酸エステルおよびアルキルサルコシンのナトリウム、カリウム、アンモニウム塩、キシレンスルホン酸ナトリウム、およびクメンスルホン酸ナトリウムが挙げられる。
【００７８】
ヒドロトロープは組成物の複数の成分を単一相に保持する手助けとなるのに有用であり得るが、当然のことながらヒドロトロープは任意の成分でありそして洗浄組成物濃縮物に含有される必要がない。さらに、洗浄組成物濃縮物は多相を有して提供され得る。例えば、用途組成物の１バッチを調製するとき、用途組成物が単一相を有して提供される限り洗浄組成物濃縮物用の特定の適用において多相で入手できるということは許容され得る。洗浄組成物濃縮物がヒドロトロープを含有するとき、ヒドロトロープは約０．１重量％〜約１０重量％、約０．５重量％〜約５重量％、又は約１重量％〜約３重量％の量で供給され得る。
【００７９】
洗浄組成物濃縮物は用途組成物に接し得る金属を腐食から保護する手助けとなるために腐食防止剤を含有し得る。典型的な腐食防止剤の種類としてアルミニウム、銅、鋼鉄、真ちゅう、および鉄を保護するそれらの腐食防止剤が挙げられる。典型的な腐食防止剤としてアミンホウ酸塩、アルキルアミドカルボン酸とアルカノールアミンとの中和塩、アルキルアミドカルボン酸とトリエタノールアミンとの中和塩、オクタンホスホン酸とアルカノールアミンとの中和塩、ケイ酸カリウム、ケイ酸ナトリウム、メタケイ酸ナトリウム、リン酸エステル、アルキルアリールスルホン酸塩、スルホン酸カルシウム塩、ココアミドジエチルアミン、およびそれらの混合物が挙げられる。典型的な腐食防止剤はＢＡＳＦからＭａｚｏｎ  ＲＩ  ３２５、クラリアント社（Ｃｌａｒｉａｎｔ）からＨｏｓｔａｃｏｒ  ２７３２、Ｈｏｓｔａｃｏｒ  ＩＳ、Ｈｏｓｔａｃｏｒ  ＩＴ、およびＨｏｓｔａｐｈａｔ  ＯＰＳ  １００、Ａｋｚｏｌ  ＮｏｂｅｌからＢｅｒｏｌ  ５２５およびＢｅｒｏｌ  ７２５、ＢＡＳＦからＫｌｅａｒｆａｃ  ＡＡ２７０およびＭａｐｈｏｓ、ローディア社（Ｒｈｏｄｉａ）からＲｏｄａｆａｃ、ＰＭＣからＣｏｂｒａｔｅ  ９４８およびＣｏｂｒａｔｅ  ＡＬ２５０の名称で、およびＰｉｌｏｔからアルキルアリールスルホン酸塩カルシウムスルホン酸塩が販売されている。
【００８０】
洗浄組成物濃縮物は腐食防止剤なしで提供され得る。洗浄組成物濃縮物が腐食防止剤を含有するとき、腐食防止特性を与えるために充分な量で含有されることが望ましい。洗浄組成物濃縮物は約０．０５重量％〜約３０重量％、約０．０２重量％〜約２０重量％、そして約０．５重量％〜約１０重量％の量の腐食防止剤を含有し得る。
本発明の清浄化組成物に従来の使用水準で含有され得る任意の材料として加工助剤、染料、顔料、蛍光増白剤、殺菌剤、漂白剤、漂白活性剤、香料、粘度調整剤、防腐剤、および紫外線保護剤が挙げられる。
【００８１】
すぐ使用できる組成物および／又は用途溶液は表面に適用の間に泡出たされ得る。ガラス洗浄剤の場合、泡出ては一般に組成物に追加の待ち時間を与えるために望ましい。すなわち、清浄化をもたらすために使用者が表面の洗浄剤を拭取る機会を有するまで清浄化組成物が垂直であり得る表面上の変わらぬ立場にあり続けることを可能とすることは一般的に望ましい。清浄化組成物はある種の発泡剤、例えば増粘剤の必要なく泡出たされ得ると考えられている。実際、増粘剤がシミ付き、筋付きを引き起こす、又はガラス表面に薄膜を残す傾向を有すると、特定の増粘剤はガラス表面を清浄化するために用いられるとき清浄化に悪影響を有し得ると考えられている。従って、増粘剤は本発明による組成物から除外され得る。除外され得る特定の種類の増粘剤として少なくとも５０ｃＰの増粘効果をもたらすそれら増粘剤が挙げられる。窓洗浄剤として用いられるとき、本発明の清浄化組成物は水ですすがないで拭取られて筋付きなしのガラス表面を与え得る。
典型的な洗剤組成物濃縮物が表１により配合され得る。
【００８２】
【表１】
2009535448.tif 000005
【００８３】
本発明の清浄化組成物は第１の場所で調製されそして希釈される第２の場所に船積み又は輸送され得る。第２の場所は硬度を含有する水源を備え得る。典型的な種類の第２の場所は濃縮物が希釈され、荷造りされ、そして消費者に流通される商店である。第２の場所は製品のさらなる希釈および流通を提供する他の施設であり得る。さらに、第２の場所は用務サービスを必要とする現場、例えば、レストラン、食料品店、ホテル又は他のビルであり得る。さらに、当然のことながら希釈が起こる複数の場所があり得る。例えば、中間段階の希釈が第２の場所で起こり得て、そして用途溶液のための最終の希釈が清浄化に洗剤組成物が清浄化に用いられる時間頃に消費者によってもたらされ得る。
【００８４】
本発明の洗剤組成物濃縮物は複数の成分を混ぜ合わせることによって調製され得る。有機溶媒が洗剤組成物濃縮物に望まれるとき、有機溶媒以外の洗剤組成物濃縮物の複数の成分が混合により混ぜ合わされ、次いで有機溶媒が別途に加えられ得る。特定の配合では、有機溶媒を含有する洗剤組成物濃縮物が相分離する傾向にある可能性がある。ヒドロトロープは相分離の低減を助けるために用いられ得る。
【００８５】
本発明の洗剤組成物は、用途溶液として提供されるとき、さまざまな形態で表面又は基材に適用され得る。典型的な形態はスプレーおよび泡が挙げられる。ガラス洗浄剤の場合、用途溶液が垂直窓を流れ落ちるのを妨げるために泡として用途溶液を提供することが望ましい。表面又は基材適用の泡を生じさせる液体発泡剤又は他の発泡剤を必要としないポンプ泡立て機が用いられ得ると考えられている。泡を生じさせるためにハンドポンプ又はフィンガーポンプが用いられるとき、泡は化学的発生泡よりむしろ機械的発生泡として特徴付けられ得る。洗剤組成物で用いられ得る典型的なフォーミングヘッドはドイツのゼラー社から入手され得る。
【００８６】
本発明の洗剤組成物は窓およびミラーを含めてガラス表面の清浄化用のガラス洗浄剤として用いられ得ると考えられている。さらに、本発明の洗剤組成物は硬表面清浄剤、バス洗剤、食器洗剤、床清浄剤、調理台清浄剤、および金属清浄剤として用いられ得ると考えられている。さらに、本発明の洗剤組成物はガラス清浄、洗車、前洗い用途、および金属光沢用の洗車設備で用いられ得ると考えられている。当然のことながら本発明の清浄化組成物は表面、例えばガラス表面に直接適用されそして拭取られて筋のない表面を与え得る。さらに、本発明の洗剤組成物は水で表面をすすがれ得る。
【００８７】
いくつかの典型的な濃縮組成物が以下の複数の表に示されている。当然のことながら有機溶媒は、残りの成分を有機溶媒と混合することが望ましくなるまで典型的な組成物の残りの成分とは別に供給され得る。
【００８８】
【表２】
2009535448.tif 000006
【００８９】
【表３】
2009535448.tif 000007
【００９０】
【表４】
2009535448.tif 000008
【００９１】
【表５】
2009535448.tif 000009
【００９２】
【表６】
2009535448.tif 000010
【００９３】
【表７】
2009535448.tif 000011
【００９４】
上記の詳述、実施例およびデータは本発明の組成物の製造および使用の完全な記述を提供する。本発明の精神と範囲から逸脱することなく本発明の多くの態様がなされ得るので、本発明は添付の特許請求の範囲の請求項に存在する。
【図面の簡単な説明】
【００９５】
【図１】図１は、本発明の原理に基づいたパッケージされた清浄化組成物濃縮物の斜視図である。
【図２】図２は、本発明の原理に基づいたパッケージされた清浄化組成物濃縮物の正面図である。
【図３】図３は、本発明の原理に基づいた基材上に提供されたパッケージされた清浄化組成物濃縮物の正面図である。
【図４】図４は、図３における線分４−４に沿って示されるスリーブの断面図である。
【図５ａ】図５ａは、本発明の原理に基づいた浸漬管に用いるための典型的なスリーブの１例の断面図である。
【図５ｂ】図５ｂは、本発明の原理に基づいた浸漬管に用いるための典型的なスリーブの他の１例の断面図である。
【図５ｃ】図５ｃは、本発明の原理に基づいた浸漬管に用いるための典型的なスリーブの他の１例の断面図である。
【図６】図６は、本発明の原理に基づいた複数回の量の清浄化組成物濃縮物を収容する容器の斜視図である。
【図７】図７は、本発明の原理に基づいた清浄化組成物を分注する装置の概略図である。
【図８】図８は、本発明の原理に基づいた清浄化組成物を分注する装置の概略図である。
【図１】
2009535448.tif 000012
【図２】
2009535448.tif 000013
【図３】
2009535448.tif 000014
【図４】
2009535448.tif 000015
【図５ａ】
2009535448.tif 000016
【図５ｂ】
2009535448.tif 000017
【図５ｃ】
2009535448.tif 000018
【図６】
2009535448.tif 000019
【図７】
2009535448.tif 000020
【図８】
2009535448.tif 000021
【国際調査報告】
2009535448.tif 000022
2009535448.tif 000023
2009535448.tif 000024